(57)【要約】【課題】振動等の不意の力が作用しても緩むことのない、ボルト、ナットおよび座金から構成される締結部材を提供する。【解決手段】ボルト１０、ナット２０および座金３０から構成されるものであって、ボルト１０のネジ部１１の外周面に、一つまたは複数の平坦な廻り止め面１２を形成する。また、座金３０の内周面に、廻り止め面１２に対応した形状の平坦な受け面３１を形成すると共に、ナット２０に接する面に複数の突起３２を放射状に形成する。さらに、ナット２０の座金３０に接する面に複数の凸部２１を放射状に形成し、少なくとも一つの凸部２１を前記座金３０の少なくとも一つの突起３２に係合するようにした。【選択図】        図１
2006242206.tif 000002
【特許請求の範囲】
【請求項１】
ボルト、ナットおよび座金から構成される締結部材であって、
前記ボルトのネジ部の外周面に、一つまたは複数の平坦な廻り止め面を形成し、
前記座金の内周面に、前記廻り止め面に対応した形状の平坦な受け面を形成すると共に、前記ナットに接する面に複数の突起を放射状に形成し、
前記ナットの前記座金に接する面に複数の凸部を放射状に形成し、少なくとも一つの凸部を前記座金の少なくとも一つの突起に係合するようにしたことを特徴とする締結部材。
【請求項２】
前記座金の突起は、垂直面と傾斜面を有するものとすると共に、前記ナットの凸部も、垂直面と傾斜面を有するものとし、
前記突起の垂直面と前記凸部の垂直面とを係合させてなることを特徴とする請求項１に記載の締結部材。
【請求項３】
前記座金の突起を、該座金の外周端部をＬ字状に切欠いて形成した切欠き部を立ち上げて形成してなることを特徴とする請求項１または２に記載の締結部材。
【請求項４】
前記ナットの凸部を、該ナットの前記座金に接する面を鋸刃状に刻設して形成してなることを特徴とする請求項１、２または３に記載の締結部材。
【発明の詳細な説明】
【技術分野】
【０００１】
本発明は、ボルト、ナットおよび座金で構成され、緩み止め効果に優れる締結部材に関するものである。
【背景技術】
【０００２】
例えば、二枚の板材等の被締結材を組付ける手段として、ボルト、ナットおよび座金からなるいわゆる締結部材が使用されている。
この締結部材は、ボルトとナットを強く締め付けることによって、容易に、被締結材を強固に組付けることができるといった利点を有するが、振動等の不意の力が作用することによって両者に緩みが生じてしまうといった問題も有する。
【０００３】
従来、こうした問題を解決するために、ナットの座金に接する面に複数の突起を放射状に形成し、その突起の摩擦抵抗によって緩みを防止するようにしたものが存在する。
【発明の開示】
【発明が解決しようとする課題】
【０００４】
しかしながら、ナットに複数の突起を形成した従来技術においても、依然として、振動等の不意の力が作用することによって緩みが発生するといった問題がある。
【０００５】
そこで、本発明の目的とするところは、振動等の不意の力が作用しても緩むことのない、ボルト、ナットおよび座金から構成される締結部材を提供することを課題とする。
【課題を解決するための手段】
【０００６】
上記の目的を達成するために、本発明の請求項１に記載の締結部材（１）は、ボルト（１０）、ナット（２０）および座金（３０）から構成されるものであって、前記ボルト（１０）のネジ部（１１）の外周面に、一つまたは複数の平坦な廻り止め面（１２）を形成し、前記座金（３０）の内周面に、前記廻り止め面（１２）に対応した形状の平坦な受け面（３１）を形成すると共に、前記ナット（２０）に接する面に複数の突起（３２）を放射状に形成し、前記ナット（２０）の前記座金（３０）に接する面に複数の凸部（２１）を放射状に形成し、少なくとも一つの凸部（２１）を前記座金（３０）の少なくとも一つの突起（３２）に係合するようにしたことを特徴とする。
【０００７】
また、請求項２に記載の締結部材（１）は、前記座金（３０）の突起（３２）が、垂直面（Ｐ）と傾斜面（Ｓ）を有するものとすると共に、前記ナット（２０）の凸部（２１）も、垂直面（Ｐ）と傾斜面（Ｓ）を有するものとし、前記突起（３２）の垂直面（Ｐ）と前記凸部（２１）の垂直面（Ｐ）とを係合させてなることを特徴とする。
【０００８】
さらに、請求項３に記載の締結部材（１）は、前記座金（３０）の突起（３２）を、当該座金（３０）の外周端部をＬ字状に切欠いて形成した切欠き部（３３）を立ち上げて形成してなることを特徴とする。
【０００９】
またさらに、請求項４に記載の締結部材（１）は、前記ナット（２０）の凸部（２１）を、当該ナット（２０）の前記座金（３０）に接する面を鋸刃状に刻設して形成してなることを特徴とする。
【００１０】
なお、カッコ内の記号は、図面および後述する発明の実施の形態に記載された対応要素または対応事項を示す。
【発明の効果】
【００１１】
本発明の請求項１に記載の締結部材によれば、ボルトのネジ部の外周面に、一つまたは複数の平坦な廻り止め面を形成し、座金の内周面に、その廻り止め面に対応した形状の平坦な受け面を形成しているので、廻り止め面に受け面を合致させるようにして座金をボルトに嵌装することによって、座金がボルトに対して空転するのを阻止することができる。
【００１２】
また、座金のナットに接する面に複数の突起を放射状に形成し、かつ、ナットの座金に接する面に、座金の突起に係合する複数の凸部を放射状に形成しているので、ナットを締め付けた状態で、その凸部が座金の突起に係合する。この状態で、座金はボルトに空転不能に嵌装されているので、その座金に係合して組付くナットは、振動等の不意の力が作用しても緩むことがない。
【００１３】
また、請求項２に記載の発明によれば、請求項１に記載の発明の作用効果に加えて、座金の突起が垂直面と傾斜面を有すると共に、ナットの凸部も垂直面と傾斜面を有し、突起の垂直面と凸部の垂直面とを係合させるので、両者の係合は外れることなく強固に維持される。従って、ナットの緩みをさらに確実に防止することができる。
【００１４】
なお、座金の突起およびナットの凸部は、共に傾斜面を有するので、ナットを締め付けてその凸部が突起に接触した際、当該凸部の傾斜面が突起の傾斜面に接触しながら乗り越えるので、ナットの締め付けが円滑に行なわれる。
【００１５】
さらに、請求項３に記載の発明によれば、請求項１および２に記載の発明の作用効果に加えて、座金の突起を、その座金の外周端部をＬ字状に切欠いて形成した切欠き部を立ち上げて形成したので、突起を形成するための別部材を設ける必要がない。従って、座金の成形が容易で、製造コストも廉価となる。
【００１６】
また、ナットを締め付けてその凸部が座金の突起に接触した際、当該突起が押し込まれるように弾性変形するので、ナットの締め付けが円滑に行われる。なお、ナットの締め付けが完了すると、当該突起は弾性復帰して凸部に係合するので、ナットの緩みは確実に防止される。
【００１７】
またさらに、請求項４に記載の発明によれば、請求項１乃至３に記載の発明の作用効果に加えて、ナットの凸部を、当該ナットの座金に接する面を鋸刃状に刻設して形成したので、凸部を別部材によって形成する必要がない。従って、ナットの成形が容易であり、廉価に製造することができる。
【発明を実施するための最良の形態】
【００１８】
図１乃至図８を参照して、本発明の実施形態に係る締結部材１について説明する。図１は締結部材１を示す側断面図である。また、図２は締結部材１のボルト１０を示す斜視図である。図３は締結部材１のナット２０を示す側面図、図４は正面図、図５は図４のＡ−Ａ線断面図である。図６は締結部材１の座金３０を示す正面図、図７は図６のＢ線矢視図、図８は当該座金３０の側面図である。
【００１９】
本発明の実施形態に係る締結部材１は、ボルト１０、ナット２０および座金３０で構成される。なお、ボルト１０と被締結材５０との間には、スプリングワッシャー４０を嵌装している。
【００２０】
本実施形態において、ボルト１０のネジ部１１の外周面には、図２に示すように、二つの平坦な廻り止め面１２を対向して形成している。また、座金３０の内周面には、図６に示すように、ボルト１０の二つの廻り止め面１２のそれぞれに対応した形状の平坦な受け面３１を二つ形成している。
【００２１】
さらに、座金３０のナット２０に接する面には、複数の突起３２を放射状に形成している。この突起３２は、座金３０の外周端部をＬ字状に切欠いて形成した切欠き部３３をナット２０側に向けて立ち上げて形成し、垂直面Ｐと傾斜面Ｓを有する形状としている。
【００２２】
また、ナット２０の座金３０に接する面には、図３〜図５に示すように、座金３０の突起３２に係合する複数の凸部２１を放射状に形成している。この凸部２１は、ナット２０の座金３０に接する面を鋸刃状に刻設して形成したもので、垂直面Ｐと傾斜面Ｓを有する。そして、ナット２０を締め付けた状態で、当該凸部２１の垂直面Ｐを座金３０の突起３２の垂直面Ｐに係合させるようにしている。
【００２３】
この締結部材１によって、例えば、図１に示すように二枚の板状の被締結材５０を固定する場合、被締結材５０の挿通孔を挿通したボルト１０のネジ部１１に座金３０を嵌装するが、その際、図９に示すように、座金３０の受け面３１をネジ部１１の廻り止めに合わせる。これによって、座金３０がボルト１０に対して空転するのを阻止する。
【００２４】
次に、ナット２０をネジ部１１に螺合して締め付けると、当該ナット２０の凸部２１が座金３０の突起３２に係合して組付く。この状態で、座金３０はボルト１０に空転不能に組付いているので、ナット２０はボルト１０のネジ部１１に緩むことなく強固に組付く。
【００２５】
なお、本実施形態では、図１０に示すように、ナット２０の凸部２１に形成した垂直面Ｐを、座金３０の突起３２に形成した垂直面Ｐに係合させているので、両者の係合状態は強固に維持され、ナット２０の緩みがさらに確実に防止される。
【００２６】
また、ナット２０の締め付け時に、当該ナット２０の凸部２１が座金３０の突起３２に接触し始めた状態では、図１１に示すように、凸部２１の傾斜面Ｓが突起３２の傾斜面Ｓに接するので、当該凸部２１は突起３２を容易に乗り越えることができる。従って、ナット２０の締め付けを円滑に行うことができる。
【００２７】
さらに、本実施形態では、座金３０の突起３２を、その外周端部を切り欠いて形成した切欠き部３３を立ち上げて形成しているので、当該突起３２は、ナット２０の凸部２１が接触した際に押し込まれるように弾性変形し、かつ、ナット２０の締め付けが完了すると元の状態に弾性復帰する。従って、ナット２０を、円滑かつ強固に締め付けることができる。
【００２８】
なお、本実施形態に係る締結部材１では、座金３０の突起３２を当該座金３０の円周を５等分して５個設け、ナット２０の凸部２１を当該ナット２０の内周を２４等分して２４個設けているが、これに限定されるものではなく、少なくとも一つの突起３２と少なくとも一つの凸部２１が円滑に係合するような構成で設ければ良い。
また廻り止め面１２とそれに対応した受け面３１を二つ形成したが、これに限定されるものではなく、一つあるいは複数形成するものであっても良い。
【図面の簡単な説明】
【００２９】
【図１】本発明の実施形態に係る締結部材を示す側断面図である。
【図２】図１に記載の締結部材のボルトを示す斜視図である。
【図３】図１に記載の締結部材のナットを示す側面図である。
【図４】図１に記載の締結部材のナットを示す正面図である。
【図５】図４のＡ−Ａ線断面図である。
【図６】図１に記載の締結部材の座金を示す正面図である。
【図７】図６のＢ線矢視図である。
【図８】図６に示す座金の側面図である。
【図９】本発明の実施形態において、座金をボルトのネジ部に嵌装した状態を示す正面図である。
【図１０】本発明の実施形態において、ナットの凸部と座金の突起の係合状態を示す一部拡大側面図である。
【図１１】本発明の実施形態において、ナットの凸部が座金の突起を乗り越える状態を示す一部拡大側面図である。
【符号の説明】
【００３０】
１      締結部材
１０      ボルト
１１      ネジ部
１２      廻り止め面
２０      ナット
２１      凸部
３０      座金
３１      受け面
３２      突起
３３      切欠き部
４０      スプリングワッシャー
５０      被締結材
Ｐ      垂直面
Ｓ      傾斜面
【図１】
2006242206.tif 000003
【図２】
2006242206.tif 000004
【図３】
2006242206.tif 000005
【図４】
2006242206.tif 000006
【図５】
2006242206.tif 000007
【図６】
2006242206.tif 000008
【図７】
2006242206.tif 000009
【図８】
2006242206.tif 000010
【図９】
2006242206.tif 000011
【図１０】
2006242206.tif 000012
【図１１】
2006242206.tif 000013